(57)【要約】【課題】本発明は、データの記録再生の最中であるか否かを確認することができるドライブ装置を提供する。【解決手段】本発明は、カートリッジスロットＤＳへ記録ディスクカートリッジ１００を挿入する時に傾倒し、カートリッジスロットＤＳから記録ディスクカートリッジ１００を抜いた時に起立してカートリッジスロットを開閉する回動自在な蓋部３０と、アクセス表示用の光源２０とを備え、蓋部３０に光源２０からの光が入力される光入力部３３を設け、かつ、光入力部３３に入力された光を外部に出力する光出力部を設けた。【選択図】図１
2007164948.tif 000002
【特許請求の範囲】
【請求項１】
記録ディスクカートリッジを抜き挿しするカートリッジスロットが設けられた筐体と、前記カートリッジスロットへ前記記録ディスクカートリッジを挿入する時に傾倒し、前記カートリッジスロットから前記記録ディスクカートリッジを抜いた時に起立して前記カートリッジスロットを開閉する回動自在な蓋部と、前記筐体内に設けられたアクセス表示用の光源と、を備えたドライブ装置であって、
前記蓋部に前記光源からの光が入力される光入力部を設け、かつ、前記光入力部に入力された光を外部に出力する光出力部を設けたことを特徴とするドライブ装置。
【請求項２】
前記蓋部の前記光入力部は、前記カートリッジスロットへ前記記録ディスクカートリッジが挿入された状態で、前記光源に対向する位置に配置されることを特徴とする請求項１に記載のドライブ装置。
【請求項３】
前記蓋部は、前記光出力部が前記蓋部の回動基端に設けられ、前記カートリッジスロットへ前記記録ディスクカートリッジが挿入された状態で、前記回動基端が少なくとも前記カートリッジスロットから外部に臨むことを特徴とする請求項１または請求項２に記載のドライブ装置。
【請求項４】
前記蓋部の前記光出力部は、前記カートリッジスロットへ前記記録ディスクカートリッジが挿入された状態で、少なくとも前記カートリッジスロットから外部に臨む部分に形成されていることを特徴とする請求項１または請求項２に記載のドライブ装置。
【発明の詳細な説明】
【技術分野】
【０００１】
本発明は、記録ディスクメディアを収容する記録ディスクカートリッジに対してデータの記録、再生を行うドライブ装置に関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
このような記録ディスクカートリッジに対してデータの記録、再生を行うドライブ装置としては、例えば、特許文献１に記載されたものが知られている。このドライブ装置は、記録ディスクカートリッジが装着できる装着空間と、この装着空間に記録ディスクカートリッジが装着された時に記録ディスクメディアを回転させる駆動手段と、記録ディスクメディアにアクセスする読み書きヘッドと、この読み書きヘッドを駆動するヘッド駆動装置とを備えて構成されている。
【特許文献１】特表２００２−５０３８６５号公報
【発明の開示】
【発明が解決しようとする課題】
【０００４】
ところで、従来の記録ディスクメディアに対してドライブ装置がデータの記録再生を行っている最中に、記録ディスクカートリッジを誤って取り出してしまうと、データの破損、さらには記録ディスクメディアやドライブ装置の破損を招くおそれがある。そのため、ドライブ装置の外部から見える位置にドライブ装置の記録再生動作に応じて発光する発光体などを設置することが望まれていた。
【０００５】
しかしながら、従来のドライブ装置は、カード（ＰＣカード）形状に形成されており、その大部分がコンピュータ装置に挿入された状態で使用される。そのため、従来のドライブ装置は、コンピュータ装置に装着されたときに外部に見える部分が少なく、ドライブ装置の動作に応じて発光する発光体を、コンピュータ装置に装着されたときに外部に見える部分に設けるのは困難であった。
【０００６】
このような背景に鑑みて本発明がなされたのであり、本発明は、データの記録再生の最中であるか否かを目視確認することができるドライブ装置を提供することを課題とする。
【課題を解決するための手段】
【０００７】
本発明に係るドライブ装置は、記録ディスクカートリッジを抜き挿しするカートリッジスロットが設けられた筐体と、前記カートリッジスロットへの前記記録ディスクカートリッジの挿入時に傾倒し、前記カートリッジスロットからの前記記録ディスクカートリッジの排出時に起立して前記カートリッジスロットを開閉する回動自在な蓋部と、前記筐体内に設けられたアクセス表示用の光源と、を備えたドライブ装置であって、前記蓋部に前記光源からの光が入力される光入力部を設け、かつ、前記光入力部に入力された光を外部に出力する光出力部を設けたことを特徴とする。
【０００８】
かかる構成によれば、蓋部には、アクセス表示用の光源からの光を入力する光入力部が設けられているとともに、光入力部に入力された光を外部に出力する光出力部が設けられているので、この光出力部の点灯を目視確認することにより、ドライブ装置がデータの記録再生の最中であるか否かを確認することができる。
しかも、光を出力する光出力部が蓋部に設けられているので、別途他の場所に光出力部を設ける必要がなくなり、コンピュータ装置等に装着されるときのように、露出スペースが限られる場合においても、好適にデータの記録再生の最中であるか否かを確認することができる。また、既存のドライブ装置に対しても簡易に光出力部を設けることができ、製造コストを低減することができる。
【０００９】
また、前記蓋部の前記光入力部は、前記カートリッジスロットへ前記記録ディスクカートリッジが挿入された状態で、前記光源に対向する位置に配置される構成とするのがよい。
【００１０】
かかる構成によれば、蓋部の前記光入力部が、カートリッジスロットへの記録ディスクカートリッジの挿入時に、光源に対向する位置に配置されるようになっているので、カートリッジスロットへ記録ディスクカートリッジが挿入され、蓋部が傾倒した状態となってはじめて、蓋部の光入力部が光源に対向することとなる。つまり、蓋部から離れた位置に光源を配置することができ、蓋部の近くに光源を設けたときのように蓋部の回動に伴って蓋部が光源に干渉することがない。したがって、蓋部のスムーズな回動動作を実現できる。このことは、記録ディスクカートリッジのスムーズな抜き挿しに寄与する。
【００１１】
また、前記蓋部の前記光出力部は、前記蓋部の回動基端に設けられ、前記カートリッジスロットへ前記記録ディスクカートリッジが挿入された状態で、前記回動基端が少なくとも前記カートリッジスロットに臨む構成とするのがよい。
【００１２】
かかる構成によれば、カートリッジスロットに蓋部の回動基端が臨むようになっており、この回動基端に光出力部が設けられているので、蓋部の回動基端を目視することにより、ドライブ装置がデータの記録再生の最中であるか否かを容易に確認することができる。
【００１３】
さらに、前記蓋部の前記光出力部は、前記カートリッジスロットへ前記記録ディスクカートリッジが挿入された状態で、少なくとも前記カートリッジスロットに臨む部分に形成されている構成とするのがよい。
【００１４】
かかる構成によれば、蓋部の光出力部が、カートリッジスロットへ記録ディスクカートリッジが挿入された状態で、少なくともカートリッジスロットに臨む部分に形成されているので、カートリッジスロットに臨む部分を目視することにより、ドライブ装置がデータの記録再生の最中であるか否かを容易に確認することができる。
【発明の効果】
【００１５】
本発明によれば、データの記録再生の最中であるか否かを確認することができるドライブ装置が得られる。
【発明を実施するための最良の形態】
【００１６】
次に、本発明を実施するための最良の形態について、適宜図面を参照しながら説明する。参照する図面において、図１は本実施形態に係るドライブ装置を蓋体を外して上方から見下ろした斜視図である。図２は図１のドライブ装置に記録ディスクカートリッジを挿入して蓋体を外したときの平面図である。図３は図１のドライブ装置に記録ディスクカートリッジを挿入して正面から見たときの拡大正面図、図４は図３のＡ−Ａ断面における蓋体の回動を示した図であり、（ａ）は記録ディスクカートリッジの非挿入時を示す断面図、（ｂ）は記録ディスクカートリッジの挿入時を示す断面図である。なお、本実施形態において方向を説明する場合は、図１に示す前、後、右、左、上、下を基準として説明する。また、図１には、ドライブ装置に装着する記録ディスクカートリッジをともに描いている。
【００１７】
まず、本実施形態に係るドライブ装置についての説明に先立ち、ドライブ装置に装着されて使用される記録ディスクカートリッジについて簡単に説明する。
【００１８】
図１に示すように、記録ディスクカートリッジ１００は、カートリッジケース１１０と、このカートリッジケース１１０の内部に回動可能に配置されたロータリシャッタ１２０と、このロータリシャッタ１２０の内部に回転自在に配置された記録ディスクメディアＤＭとを主に備えて構成されている。
【００１９】
カートリッジケース１１０は、薄型の箱状体であって、ドライブ装置ＤのカートリッジスロットＤＳに挿入される側に、くさび状に切り欠かれたアクセス用開口部１１１を有している。このアクセス用開口部１１１を介して、後記するドライブ装置Ｄのヘッド５が記録ディスクメディアＤＭにアクセスすることとなる。
カートリッジケース１１０の下面には、その左側寄りに円弧状のガイド溝１１２が穿設されている。このガイド溝１１２は、後記するロータリシャッタ１２０のシャッタノブ１２２の軌道に沿うように所定の曲率で形成されている。
【００２０】
ロータリシャッタ１２０は、その外形が略円盤形状を有する中空構造体であって、カートリッジケース１１０のアクセス用開口部１１１と略同形状のくさび状の切欠部１２１を有している。このロータリシャッタ１２０は、カートリッジケース１１０に回動自在に取り付けられている。そして、ロータリシャッタ１２０の下面には、シャッタノブ１２２が突設されている。このシャッタノブ１２２は、カートリッジケース１１０のガイド溝１１２を介して、記録ディスクカートリッジ１００の下面から突き出ている。
【００２１】
このような記録ディスクカートリッジ１００では、ドライブ装置Ｄに装着される前にあっては、ロータリシャッタ１２０が閉位置に配置される。つまり、ロータリシャッタ１２０の切欠部１２１とカートリッジケース１１０のアクセス用開口部１１１とがずれて配置される。このときシャッタノブ１２２は、カートリッジケース１１０のガイド溝１１２の後側に位置する。
そして、シャッタノブ１２２がガイド溝１１２内を前側に向かって円弧状の軌道を描きながら移動すると、この移動に伴って、ロータリシャッタ１２０は回動する。このようにロータリシャッタ１２０が回動してカートリッジケース１１０のアクセス用開口部１１１とロータリシャッタ１２０の切欠部１２１とが重なり合うことで、記録ディスクメディアＤＭが外部に臨むこととなる。つまり、ロータリシャッタ１２０は、開位置に配置される。このときシャッタノブ１２２は、カートリッジケース１１０のガイド溝１１２の前側に位置する。
【００２２】
また、記録ディスクカートリッジ１００がドライブ装置Ｄに装着される際には、後記するようにシャッタノブ１２２がガイド溝１１２内を前側に向かって円弧状の軌道を描きながら移動する。そして、この移動に伴って、ロータリシャッタ１２０が回動することでカートリッジケース１１０のアクセス用開口部１１１とロータリシャッタ１２０の切欠部１２１とが重なり合う。その結果、記録ディスクメディアＤＭが外部に臨むこととなる。つまり、ロータリシャッタ１２０は、開位置に配置されて、後記するドライブ装置Ｄのヘッド５が記録ディスクメディアＤＭにアクセス可能となる。このときシャッタノブ１２２は、カートリッジケース１１０のガイド溝１１２の前側に位置する。そして、ドライブ装置Ｄのスピンドルモータ３の回転軸４が記録ディスクメディアＤＭのハブ１２３に装着されることで、記録ディスクメディアＤＭが回転可能となる。
【００２３】
次に、本実施形態に係るドライブ装置Ｄについて説明する。
図１に示すように、ドライブ装置Ｄは、平面視で矩形の薄型の箱状体（筐体）であって、その前側に記録ディスクカートリッジ１００を抜き挿しするカートリッジスロットＤＳが形成されている。筐体を構成するケーシング１は、本体１ａと蓋体１ｂとから構成され、その内部に後記する各部品を格納するとともに、記録ディスクカートリッジ１００を収容する収容空間２を有している。
【００２４】
本体１ａには、カートリッジスロットＤＳを開閉する蓋部３０が設けられている。本実施形態では、蓋部３０が光を透過して出力することが可能な光出力部として機能するように構成されており、例えば、透明又は半透明なポリカーボネイトなどの光透過材料を用いて形成されている。また、蓋部３０の後方（図４（ａ）及び（ｂ）において左側）には、蓋部３０の光入力部３３に対して光を供給するための光源２０が配置されている。
【００２５】
蓋部３０は、図４（ａ）及び（ｂ）に示すように、ケーシング１の開口縁に回動軸３２を中心として回動自在に設けられており、カートリッジスロットＤＳへの記録ディスクカートリッジ１００の挿入時に傾倒（図４（ｂ）参照）してカートリッジスロットＤＳを開き、カートリッジスロットＤＳから記録ディスクカートリッジ１００を抜いた時に起立（図４（ａ）参照）してカートリッジスロットＤＳを閉じるようになっている。回動軸３２は、本体１ａに固定されたブラケットの支持部４１により支持されている。このような回動軸３２を中心として回動する蓋部３０は、図３、図４（ｂ）に示すように、記録ディスクカートリッジ１００の挿入によって傾倒した状態で、カートリッジスロットＤＳから外部に基端部３４が臨むようになっている。
また、蓋部３０の光入力部３３は、光源２０からの光が入力される部分であり、蓋部３０に一体的に設けられている。光入力部３３には、図示しないプリズム等による光を屈折させるための公知の構造等を備えており、光源２０から入力した光が、蓋部３０の基端部３４を中心としてカートリッジスロットＤＳの開口部に臨む部位に向けて屈折するとともに、蓋部３０の長手方向（図１中左方向）に向けて屈折するようになっている。なお、蓋部３０の基端部３４に光を乱反射させる公知の加工を施して、基端部３４から光が出力され易くなるように構成してもよい。
【００２６】
光源２０は、図４（ｂ）に示すように、記録ディスクカートリッジ１００の挿入によって傾倒した蓋部３０の光入力部３３に対向する位置に設けられている。つまり、記録ディスクカートリッジ１００が挿入された状態で、蓋部３０の光入力部３３が光源２０に接近した状態で対峙することとなり、この状態で光源２０からの光が蓋部３０に受光されるようになっている。光源２０としては、消費電力が小さく所定の光量が得られるＬＥＤ（Light Emitting Diodes）等の発光素子が用いられており、本体１ａのベース部１０（図２参照）に取り付けられた基板１１に実装されている。このような光源２０は、データの記録再生動作に応じて駆動電力の供給を受け、発光する。
【００２７】
また、ドライブ装置Ｄの後端には下面側に複数の端子Ｔが設けられている。この端子Ｔは、ドライブ装置Ｄが着脱自在に取り付けられた電子機器（図示省略）との間で電気的な接続を確立するものである。ドライブ装置Ｄは、この端子Ｔを介して、記録ディスクメディアＤＭと、電子機器との間での情報の受け渡し、および受け取りを行うこととなる。そして、この端子Ｔを介してドライブ装置Ｄに電力が供給されることとなる。ちなみに、電子機器としては、ＣＰＵ（Central Processing Unit）やメモリを備えたものであれば特に制限はなく、例えば、パーソナルコンピュータ、プリンタ、複写機等の事務機器、デジタルカメラ、テレビ、録音装置、録画装置、冷蔵庫、電子レンジ等の家電製品が挙げられる。
【００２８】
このようなドライブ装置Ｄの収容空間２内には、ドライブ装置Ｄに装着された記録ディスクメディアＤＭを高速回転させるスピンドルモータ３と、記録ディスクメディアＤＭに対する情報の記録および再生を行うヘッド５と、このヘッド５を先端に取り付けるとともに支軸６の周りに揺動してヘッド５を記録ディスクメディアＤＭの半径方向に移動させるスイングアームＳＡと、スイングアームＳＡを所定の揺動角で位置決めするアクチュエータ７と、スイングアームＳＡを所定の位置に待機させるランプ部８と、記録ディスクカートリッジ１００の係止排出を行うための係止排出機構９等が設けられている。
【００２９】
次に、本実施形態に係るドライブ装置の動作について適宜図面を参照しながら説明しつつ、ドライブ装置Ｄの作用効果について説明する。
記録ディスクカートリッジ１００をドライブ装置Ｄに挿入する際には、記録ディスクカートリッジ１００の後部を直接に蓋部３０に押し当てながら、カートリッジスロットＤＳに押し込むように挿入する。すると、蓋部３０が記録ディスクカートリッジ１００の底部１００ａに押されて、図４（ｂ）に示すように傾倒する。記録ディスクカートリッジ１００が挿入されると、ドライブ装置Ｄ内のロック解除ピン（図示省略）により、ロータリシャッタ１２０のロックが解除され、シャッタノブ１２２がガイド溝１１２内を前側に向かって円弧状の軌道を描きながら移動する。そして、この移動に伴って、ロータリシャッタ１２０が回動してカートリッジケース１１０のアクセス用開口部１１１とロータリシャッタ１２０の切欠部１２１とが重なり合い、記録ディスクメディアＤＭがアクセス用開口部１１１に露出する。
【００３０】
記録ディスクカートリッジ１００がドライブ装置Ｄの所定の位置まで挿入されると、ドライブ装置Ｄの係止排出機構９により記録ディスクカートリッジ１００が係止されるとともに、スピンドルモータ３の回転軸４が記録ディスクメディアＤＭのハブ１２３に装着される。
そして、ドライブ装置Ｄのスピンドルモータ３が駆動され、回転軸４を介してハブ１２３に回転力が伝達されて記録ディスクメディアＤＭが回転を開始し、スイングアームＳＡのヘッド５が、アクセス用開口部１１１に移動して、記録ディスクメディアＤＭに対し記録再生が行われる。
【００３１】
このとき、図示しない制御部から基板１１に光源２０を駆動するための信号が送られ、光源２０が発光する。そうすると、光源２０からの光が傾倒した蓋部３０の光入力部３３に照射され、蓋部３０の主として基端部３４から光が出力される。基端部３４は、蓋部３０が傾倒した状態でカートリッジスロットＤＳの開口に臨む状態となっているので、使用者は、この蓋部３０の基端部３４の点灯を目視することでヘッド５のアクセス状態を確認することができる。例えば、図５に示すように、ドライブ装置Ｄがコンピュータ装置ＰＣのカートリッジスロットＣＳに装着されて使用される場合には、コンピュータ装置ＰＣからの命令により、データの記録再生動作に応じて光源２０が発光し、蓋部３０の基端部３４が点灯する。
【００３２】
なお、使用後は、記録ディスクカートリッジ１００の端部を再度押圧すると係止排出機構９の係止が解除され、記録ディスクカートリッジ１００がドライブ装置Ｄから排出される。カートリッジスロットＤＳから記録ディスクカートリッジ１００が排出されると、蓋部３０は、図示しないばね等による付勢力によって、起立位置に回動され（図４（ａ）参照）、カートリッジスロットＤＳを閉じる。
【００３３】
以上説明した本実施形態のドライブ装置Ｄによれば、蓋部３０に、光源２０からの光を入力する光入力部３３が設けられているとともに、光入力部３３に入力された光によって蓋部３０が点灯する（主として基端部３４が点灯する）ようになっているので、この蓋部３０の点灯を目視確認することにより、ドライブ装置Ｄがデータの記録再生の最中であるか否かを確認することができる。
しかも、蓋部３０自体が点灯するので、別途他の場所に光出力部を設ける必要がなくなり、コンピュータ装置ＰＣ（図５参照）等に装着されるときのように、露出スペースが限られる場合においても、好適にデータの記録再生の最中であるか否かを蓋部３０の点灯により確認することができる。また、既存のドライブ装置に対しても構成の変更を最小限にして蓋部３０が点灯するように構成することができ、製造コストの低減されたドライブ装置Ｄが得られる。
【００３４】
また、蓋部３０の光入力部３３は、カートリッジスロットＤＳへ記録ディスクカートリッジ１００が挿入された状態で、光源２０に対向する位置に配置されるようになっているので、カートリッジスロットＤＳへ記録ディスクカートリッジ１００が挿入され、蓋部３０が傾倒した状態となってはじめて、蓋部３０の光入力部３３が光源２０に対向することとなる。つまり、蓋部３０から離れた位置に光源２０を配置することができ、蓋部３０の近くに光源２０を設けたときのように蓋部３０の回動に伴って蓋部３０が光源２０に干渉するという事態を生じることがない。したがって、蓋部３０のスムーズな回動動作を実現できる。このことは、記録ディスクカートリッジ１００のスムーズな抜き挿しに寄与する。
【００３５】
また、カートリッジスロットＤＳの開口に蓋部３０の回動基端となる基端部３４が臨むようになっており、主としてこの基端部３４が点灯するようになっているので、この基端部３４を目視することにより、ドライブ装置Ｄがデータの記録再生の最中であるか否かを容易に確認することができる。また、基端部３４のみならず、カートリッジスロットＤＳの開口に臨む部分（蓋部３０の他の部分）も点灯するようになっているので、ドライブ装置Ｄがデータの記録再生の最中であるか否かをより一層容易に確認することができる。
【００３６】
以上、本発明の好適な実施形態について説明したが、本発明は前記実施形態に限定されるものではない。
例えば、蓋部３０の外部や内部に、光が反射する部分や屈折する部分を設けて、外部の種々の方向から点灯状態を目視確認することができるように構成してもよい。このような構成とすることにより、ドライブ装置Ｄがデータの記録再生の最中であるか否かをより一層容易に確認することができる。
【図面の簡単な説明】
【００３７】
【図１】本実施形態に係るドライブ装置を蓋体を外して上方から見下ろした斜視図である。
【図２】図１のドライブ装置に記録ディスクカートリッジを挿入して蓋体を外したときの平面図である。
【図３】図１のドライブ装置に記録ディスクカートリッジを挿入して正面から見たときの拡大正面図である。
【図４】図３のＡ−Ａ断面における蓋部の回動を示した図であり、（ａ）は記録ディスクカートリッジの非挿入時を示す断面図、（ｂ）は記録ディスクカートリッジの挿入時を示す断面図である。
【図５】図１のドライブ装置の使用状態を示す説明図である。
【符号の説明】
【００３８】
１      ケーシング
１ａ    本体
１ｂ    蓋体
１０    ベース部
１１    基板
２０    光源
３０    蓋部
３３    光入力部
３４    基端部
１００  記録ディスクカートリッジ
１１０  カートリッジケース
１１１  アクセス用開口部
ＣＳ    カートリッジスロット
Ｄ      ドライブ装置
ＤＭ    記録ディスクメディア
ＤＳ    カートリッジスロット
【図１】
2007164948.tif 000003
【図２】
2007164948.tif 000004
【図３】
2007164948.tif 000005
【図４】
2007164948.tif 000006
【図５】
2007164948.tif 000007